(57)【要約】【課題】図柄表示の視認性を高めることにより、ユーザの購買意欲を助長し得るようにする。【解決手段】胴回り部（前見頃部２および後見頃部３）におけるバックシート１の内面側に図柄表示部１２を形成してなる使い捨ておむつにおいて、前記バックシート１を、酸化チタンを除去した不織布層を含む素材により構成して、図柄表示部１２を覆うバックシート１を構成する不織布の白色度が低下し、その透明度が高くなるようにしている。【選択図】        図１
2004188060.tif 000002
【特許請求の範囲】
【請求項１】
着用者側に位置するトップシートと、反着用者側に位置するバックシートと、これら両シート間に介在させた吸収体とを備え、胴回り部における前記バックシートの内面側に図柄表示部を形成してなる使い捨ておむつであって、前記バックシートを、酸化チタンを除去した不織布層を含む素材により構成したことを特徴とする使い捨ておむつ。
【請求項２】
前記胴回り部には、周方向に収縮する伸縮部材を配置するとともに、該伸縮部材を、酸化チタンを除去した糸ゴムにより構成したことを特徴とする前記請求項１記載の使い捨ておむつ。
【請求項３】
前記バックシートを、ＪＩＳ  Ｐ  ８１３８に基づく不透明度が４０％未満の不織布層を含む素材により構成したことを特徴とする前記請求項１および２のいずれか一項記載の使い捨ておむつ。
【請求項４】
前記バックシートを、繊度が１．０〜５．０ｄｔであり、目付が３０ｇ／ｍ２以下である不織布層を含む素材により構成したことを特徴とする前記請求項１、２および３のいずれか一項記載の使い捨ておむつ。
【請求項５】
着用者側に位置するトップシートと、反着用者側に位置するバックシートと、これら両シート間に介在させた吸収体とを備え、胴回り部における前記バックシートの内面側に図柄表示部を形成してなる使い捨ておむつであって、前記胴回り部には、周方向に収縮する伸縮部材を配置するとともに、該伸縮部材を、酸化チタンを除去した糸ゴムにより構成したことを特徴とする使い捨ておむつ。
【発明の詳細な説明】
【０００１】
【発明の属する技術分野】
本願発明は、図柄表示の視認性を向上させた使い捨ておむつに関するものである。
【０００２】
【従来の技術】
一般に、使い捨ておむつにおいては、ユーザ（例えば、母や子供）の購買意欲を高める手法として、胴回り部に特定のキャラクターなどの図柄表示を行う場合がある。この図柄表示は、外層シートであるバックシートの表面に印刷される場合もあるが、バックシートの内面側に位置する部材（例えば、吸収体の反着用者側を覆う防水フィルム）に印刷される場合が多い（例えば、特許文献１参照）。この場合、バックシートとして不織布を採用することが多く、該不織布としては、白色化のための酸化チタンを含み、透明性があまり高くないものが使用されることが多い。
【０００３】
また、パンツ型の使い捨ておむつの場合、胴回り部に周方向に収縮する多数の伸縮部材を配置して、装着時のずれ落ちを防止するようにしたものもよく知られており、この伸縮部材としては、糸ゴムが使用される。この糸ゴムにも白色化のための酸化チタンが含まれることが多い。
【０００４】
そして、図柄表示を有するパンツ型の使い捨ておむつの場合、図柄表示と伸縮部材である糸ゴムとが重なり合って配置されることとなる。
【特許文献１】
特開平１１−１０４１７２号公報。
【０００５】
【発明が解決しようとする課題】
ところが、上記従来例のものの場合、バックシートを構成する不織布の透明性があまり高くないため、バックシートの内面側に形成された図柄表示の視認性が低下し、せっかくのデザインが不明確となって、ユーザの購買意欲をそそらないものとなってしまうという不具合がある。
【０００６】
また、伸縮部材である糸ゴムが図柄表示と重なり合っている場合、糸ゴムの存在が目立ってしまい、図柄表示の視認性が大幅に低下するおそれがある。
【０００７】
本願発明は、上記の点に鑑みてなされたもので、図柄表示の視認性を高めることにより、ユーザの購買意欲を助長し得るようにすることを目的とするものである。
【０００８】
【課題を解決するための手段】
本願発明では、上記課題を解決するための第１の手段として、着用者側に位置する液透過性のトップシートと、反着用者側に位置する液不透過性のバックシートと、これら両シート間に介在させた吸収体とを備え、胴回り部における前記バックシートの内面側に図柄表示部を形成してなる使い捨ておむつにおいて、前記バックシートを、酸化チタンを除去した不織布層を含む素材により構成している。
【０００９】
上記のように構成したことにより、図柄表示部を覆うバックシートを構成する不織布層の白色度が低下し、その透明度が高くなるところから、バックシートの内面側に形成された図柄表示部の視認性が向上することとなる。従って、ユーザの購買意欲をそそるものとなる。なお、酸化チタンの除去は、不織布層の製造段階において行われるが、除去するとは、例えば酸化チタンが５重量％以下、好ましくは０．５重量％以下となるようにすることであるが、勿論、酸化チタンを一切含まないようにすることもできる。
【００１０】
本願発明では、さらに、上記課題を解決するための第２の手段として、上記第１の手段を備えた使い捨ておむつにおいて、前記胴回り部に、周方向に収縮する伸縮部材を配置するとともに、該伸縮部材を、酸化チタンを除去した糸ゴムにより構成することもでき、そのように構成した場合、伸縮部材を構成する糸ゴムの白色度が低下し、その透明度が高くなるところから、糸ゴムが目立たなくなり、図柄表示部の視認性が向上することとなる。従って、ユーザの購買意欲をそそるものとなる。なお、酸化チタンの除去は、糸ゴムの製造段階において行われるが、除去するとは、例えば酸化チタンが５重量％以下、好ましくは０．５重量％以下となるようにすることであるが、勿論、酸化チタンを一切含まないようにすることもできる。
【００１１】
本願発明では、さらに、上記課題を解決するための第３の手段として、上記第１又は第２の手段を備えた使い捨ておむつにおいて、前記バックシートを、ＪＩＳ  Ｐ  ８１３８に基づく不透明度が４０％未満の不織布素材を含む素材により構成することもでき、そのように構成した場合、図柄表示部を覆うバックシートを構成する不織布層の透明度が、図柄表示部を視認するに支障のない程度に向上することとなり、ユーザの購買意欲をそそるものとなる。
【００１２】
本願発明では、さらに、上記課題を解決するための第４の手段として、上記第１、第２又は第３の手段を備えた使い捨ておむつにおいて、前記バックシートを、繊度が１．０〜５．０ｄｔであり、目付が３０ｇ／ｍ２以下である不織布層を含む素材により構成することもでき、そのように構成した場合、バックシートを構成する不織布層が、透明度を損なわない程度であって肌触りが悪くならない程度のものとなるとともに、伸縮性に優れ且つ風合いに優れたものとなる。なお、不織布層の繊度が１．０ｄｔ以下になると、目が細かくなり過ぎて所定の透明度を確保しにくくなり、不織布層の繊度が５．０ｄｔ以上になると、目が粗くなり過ぎて肌触りが悪くなる。また、不織布層の目付が３０ｇ／ｍ２を超えると、かさ高となり、伸縮性および風合いに劣るものとなる。
【００１３】
本願発明では、さらに、上記課題を解決するための第５の手段として、着用者側に位置するトップシートと、反着用者側に位置するバックシートと、これら両シート間に介在させた吸収体とを備え、胴回り部における前記バックシートの内面側に図柄表示部を形成してなる使い捨ておむつにおいて、前記胴回り部には、周方向に収縮する伸縮部材を配置するとともに、該伸縮部材を、酸化チタンを除去した糸ゴムにより構成している。
【００１４】
上記のように構成したことにより、伸縮部材を構成する糸ゴムの白色度が低下し、その透明度が高くなるところから、糸ゴムが目立たなくなり、図柄表示部の視認性が向上することとなる。従って、ユーザの購買意欲をそそるものとなる。なお、酸化チタンの除去は、糸ゴムの製造段階において行われるが、除去するとは、例えば酸化チタンが５重量％以下、好ましくは０．５重量％以下となるようにすることであるが、勿論、酸化チタンを一切含まないようにすることもできる。
【００１５】
【発明の実施の形態】
以下、添付の図面を参照して、本願発明の好適な実施の形態について詳述する。
【００１６】
この使い捨ておむつは、パンツタイプとされており、図１ないし図３に示すように、着用者の下腹部側に位置する前見頃部２、着用者の臀部側に位置する後見頃部３および股間部４を有し、可撓性を有するバックシート１と、該バックシート１の内面に固定され、前記股間部４を中心として前後方向（換言すれば、前見頃部２から後見頃部３にかけて）に延びる吸収体５とからなっている。
【００１７】
前記バックシート１は、２枚の通気・液透過性の不織布層を積層固定してなり、このバックシート１と前記吸収体５とを重ね合わせた後の製造工程の最終段階において、前身頃と後身頃との両側縁部（即ち、前見頃部２および後見頃部３の両側縁部）を超音波シールや熱溶融などの接合手段により接合（この接合部を符号Ｔで示している）することにより、図３に示すように、胴回り開口部６および左右一対の足回り開口部７，７が形成されることとなっている。なお、この使い捨ておむつを取り外す際には、ぬがすのではなく、前記接合部Ｔを無理やり引き裂くことにより図１に示す展開状態として取り外すこととなっている。このようにすれば、排泄物の処理が容易となる。
【００１８】
前記吸収体５は、図１および図２に示すように、ある程度の剛性を有する長方形形状を有し、裏面から表面側に回り込んで表面側両側部を額巻き形態で覆っている長方形形状の液不透過性の防水フィルム８に包まれており、その着用者側には、不織布などからなり、着用者の肌に直接触れる長方形形状の液透過性のトップシート９が、ホットメルト接着剤ＨＭにより接着一体化されている。
【００１９】
前記吸収体５としては、解繊パルプを主体とし、高分子吸収ポリマーを併用したものが好ましく、クレープ紙１０に巻き込んだ形態として与えられる。また、前記防水フィルム８としては、ポリエチレンフィルムなどが用いられる。なお、吸収能力を高める必要がある場合には、図２に示すように、液透過性のトップシート９と吸収体５との間に液透過性のセカンドシート９′を介在させるのが望ましい。
【００２０】
上記吸収体５は、前記防水フィルム８の両側部をわずかだけ残してほぼ裏面全体が前記バックシート１に対してホットメルト接着剤ＨＭにより接着一体化されている。
【００２１】
この吸収体５の両側方部には、着用者側に突出する足回り用の起立カフス１１，１１がそれぞれ形成されている。
【００２２】
この使い捨ておむつにおける胴回り部（換言すれば、前見頃部２および後み）において、前記バックシート１の内面側に位置する防水フィルム８には、図柄表示部１２，１２が印刷により形成されている。
【００２３】
また、前記バックシート１の不織布層間には、前身頃と後身頃とにおいて胴回りのフィット性を高めるために、胴回り開口部６の端縁に平行に間隔をおいて細い糸ゴムからなるウエスト用の伸縮部材１３，１３・・が設けられている。このウエスト用の伸縮部材１３，１３・・の間隔および本数は適宜定められるが、例えば４〜６ｍｍ程度の間隔で、５〜７本程度とするのが好ましい。
【００２４】
さらに、前記バックシート１の不織布層間には、前見頃部２および後見頃部３相当個所の両側部において胴回り開口部６（図３参照）の端縁に平行な方向に前見頃用の伸縮部材１４，１４・・および後見頃用の伸縮部材１５，１５・・がそれぞれ設けられている。この伸縮部材１４，１５は、糸ゴムからなっており、前記吸収体５と対応する部位においては、弾性伸縮力が作用しないように適当な長さに切断される場合がある。
【００２５】
ところで、上記のように構成した場合、図柄表示部１２の上に伸縮部材１４，１５およびバックシート１が存在することとなるため、バックシート１の透明性が低いと図柄表示部１２が不鮮明となって視認性が低下するとともに、伸縮部材１４，１５を構成する糸ゴムが目立ちすぎると、やはり図柄表示部１２が不鮮明となって視認性が低下する。そこで、本実施の形態においては、前記バックシート１および伸縮部材１４，１５の透明性を高くすることにより、図柄表示部１２の視認性を向上させるようにしている。
【００２６】
一般に、バックシート１を構成する不織布層および伸縮部材１４，１５を構成する糸ゴムは、その白色度を向上させる目的で酸化チタンが配合されることとなっているが、本実施の形態においては、前記バックシート１を酸化チタンを除去した不織布層を含む素材により構成するとともに、前記伸縮部材１４，１５を酸化チタンを除去した糸ゴムにより構成している。
【００２７】
上記のように構成したことにより、図柄表示部１２を覆うバックシート１を構成する不織布層の白色度が低下し、その透明度が高くなるところから、バックシート１の内面側に位置する防水フィルム８に印刷形成された図柄表示部１２の視認性が向上することとなるとともに、伸縮部材１４，１５を構成する糸ゴムの白色度が低下し、その透明度が高くなるところから、糸ゴムが目立たなくなり、図柄表示部１２の視認性が向上することとなる。従って、ユーザの購買意欲をそそるものとなる。なお、酸化チタンの除去は、不織布層および糸ゴムの製造段階において行われるが、除去するとは、例えば酸化チタンが５重量％以下、好ましくは０．５重量％以下となるようにすることであるが、勿論、酸化チタンを一切含まないようにすることもできる。。
【００２８】
また、前記バックシート１は、ＪＩＳ  Ｐ  ８１３８に基づく不透明度が４０％未満の不織布層を含む素材により構成するのが望ましい。不透明度は、日本電色工業社製「測色色差計」にてＪＩＳ  Ｐ  ８１３８に従って測定できる。このようにすると、図柄表示部１２を覆うバックシート１を構成する不織布の透明度が、図柄表示部１２を視認するに支障のない程度に向上することとなり、ユーザの購買意欲をそそるものとなる。
【００２９】
また、前記バックシート１は、繊度が１．０〜５．０ｄｔであり、目付が３０ｇ／ｍ２以下である不織布層を含む素材により構成するのが望ましい。このようにすると、バックシート１を構成する不織布層を含む素材が、透明度を損なわない程度であって肌触りが悪くならない程度のものとなるとともに、伸縮性に優れ且つ風合いに優れたものとなる。なお、不織布層の繊度が１．０ｄｔ以下になると、目が細かくなり過ぎて所定の透明度を確保しにくくなり、不織布層の繊度が５．０ｄｔ以上になると、目が粗くなり過ぎて肌触りが悪くなる。また、不織布層の目付が３０ｇ／ｍ２を超えると、かさ高となり、伸縮性および風合いに劣るものとなる。
【００３０】
また、前記伸縮部材１４，１５を構成する糸ゴムの不透明度（換言すれば、透明度）は、前記不織布と同等とするのが望ましく、また、その太さは、９２５ｄｔｅｘ以下とするのが望ましい。
【００３１】
【発明の効果】
本願発明の第１の手段によれば、着用者側に位置するトップシートと、反着用者側に位置するバックシートと、これら両シート間に介在させた吸収体とを備え、胴回り部における前記バックシートの内面側に図柄表示部を形成してなる使い捨ておむつにおいて、前記バックシートを、酸化チタンを除去した不織布層を含む素材により構成して、図柄表示部を覆うバックシートを構成する不織布層の白色度が低下し、その透明度が高くなるようにしたので、バックシートの内面側に形成された図柄表示部の視認性が向上することとなり、ユーザの購買意欲をそそるものとなるという効果がある。
【００３２】
本願発明の第２の手段におけるように、上記第１の手段を備えた使い捨ておむつにおいて、前記胴回り部に、周方向に収縮する伸縮部材を配置するとともに、該伸縮部材を、酸化チタンを除去した糸ゴムにより構成することもでき、そのように構成した場合、伸縮部材を構成する糸ゴムの白色度が低下し、その透明度が高くなるところから、糸ゴムが目立たなくなり、図柄表示部の視認性が向上することとなる。従って、ユーザの購買意欲をそそるものとなる。
【００３３】
本願発明の第３の手段におけるように、上記第１又は第２の手段を備えた使い捨ておむつにおいて、前記バックシートを、ＪＩＳ  Ｐ  ８１３８に基づく不透明度が４０％未満の不織布層を含む素材により構成することもでき、そのように構成した場合、図柄表示部を覆うバックシートを構成する不織布層の透明度が、図柄表示部を視認するに支障のない程度に向上することとなり、ユーザの購買意欲をそそるものとなる。
【００３４】
本願発明の第４の手段として、上記第１、第２又は第３の手段を備えた使い捨ておむつにおいて、前記バックシートを、繊度が１．０〜５．０ｄｔであり、目付が３０ｇ／ｍ２以下である不織布層を含む素材により構成することもでき、そのように構成した場合、バックシートを構成する不織布層が、透明度を損なわない程度であって肌触りが悪くならない程度のものとなるとともに、伸縮性に優れ且つ風合いに優れたものとなる。
【図面の簡単な説明】
【図１】本願発明の実施の形態にかかる使い捨ておむつの展開状態平面図である。
【図２】本願発明の実施の形態にかかる使い捨ておむつの要部拡大断面図である。
【図３】本願発明の実施の形態にかかる使い捨ておむつの斜視図である。
【符号の説明】
１はバックシート（不織布）、２は前見頃部、３は後見頃部、５は吸収体、８は防水フィルム、９はトップシート、１２は図柄表示部、１４，１５は伸縮部材（糸ゴム）。
【図１】
2004188060.tif 000003
【図２】
2004188060.tif 000004
【図３】
2004188060.tif 000005